(57)【要約】【課題】スピーカの不使用時に保護カバーによりスピーカユニットを覆い、衝撃や埃等から保護する。【解決手段】  保護カバー１２によりスピーカユニット３を覆う場合には、サブエンクロージャ４を駆動用モータ７により駆動ギア８、ラックギヤ６を介してメインエンクロージャ１の内部に移動する。次いで、保護カバー１２をメインエンクロージャ１の外表面に沿って、中高音用スピーカユニット３の前面に移動させる。駆動用モータ１３の回転によりローラ１４が反時計方向に回転し、保護カバー１２を矢印方向に移動する。保護カバー１２の移動が終了すると、保護カバー１２は中高音用スピーカユニット３の前面を完全に閉止する。【選択図】図４
2011176725.tif 000002
【特許請求の範囲】
【請求項１】
サブエンクロージャの内部にスピーカユニットを備え、前記サブエンクロージャをメインエンクロージャに対し前後進を可能とし、スピーカの不使用時には前記サブエンクロージャを前記メインエンクロージャの内部に後進させ、保護カバーにより前記スピーカユニットの前面部を覆うようにしたことを特徴とするスピーカ装置。
【請求項２】
前記スピーカユニットの使用時には、前記保護カバーを後方に移動し、前記サブエンクロージャは前記メインエンクロージャの前部よりも前方に突出することを特徴とする請求項１に記載のスピーカ装置。
【請求項３】
前記サブエンクロージャは自動又は手動で前後進を行うことを特徴とする請求項１又は２に記載のスピーカ装置。
【請求項４】
前記メインエンクロージャに他のスピーカユニットを配置し、前記他のスピーカユニットは前記スピーカユニットと音の放出方向を同軸として配置したことを特徴とする請求項１〜３の何れか１つの請求項に記載のスピーカ装置。
【請求項５】
前記保護カバーは前記メインエンクロージャの外表面に沿って移動することを特徴とする請求項１〜４の何れか１つの請求項に記載のスピーカ装置。
【請求項６】
前記保護カバーは前記スピーカユニットの非使用時に前記メインエンクロージャの内部に収納したことを特徴とする請求項１〜３の何れか１つの請求項に記載のスピーカ装置。
【発明の詳細な説明】
【技術分野】
【０００１】
本発明は、可動の保護カバーを有するスピーカ装置に関するものである。
【背景技術】
【０００２】
従来から、一般的なスピーカ装置においては、スピーカユニット特にスピーカコーンの保護のため、また埃等からの保護のために、スピーカエンクロージャに取り外しが可能なように、サランネット等の布による保護カバーを設ける構造とされている。
【０００３】
また、スピーカの保護のために、特許文献１のようにスピーカを鳴らさない場合には、シャッタを閉止する構成のものも知られている。
【０００４】
更には、特許文献２のように前面を覆うすだれ式のシャッタを配置することがある。スピーカから音を出力するときには、すだれの方向を変えてスピーカの音が通るような構造とし、スピーカから音を出力しないときにはすだれを閉じて、スピーカを埃等から保護している。
【先行技術文献】
【特許文献】
【０００５】
【特許文献１】特開平６−１２１３８４号公報
【特許文献２】実開平５−３９０９４号公報
【発明の概要】
【発明が解決しようとする課題】
【０００６】
例えば特許文献１では、スピーカの不使用時はスピーカエンクロージャからシャッタ構造の蛇腹状の保護カバーが、スピーカを覆うように設けられている。しかし、スピーカを覆う保護カバーがスピーカの前面部を通過するため、エンクロージャよりもスピーカが奥まった配置となる。従って、スピーカから発する音がシャッタ溝や奥まったスピーカの角部等で音の回折を起こし、スピーカから出力される音が乱れるという問題がある。
【０００７】
また、特許文献２においては、スピーカエンクロージャに配置されたすだれ状のシャッタのそれぞれの角度を調整することにより、スピーカ使用時と収納時で蓋をしたり開放したりする動作を行う。しかし、スピーカの使用時にすだれ状のシャッタがスピーカの前面部にあるため、スピーカからの音は十分に通過することがなく、同様に音の回折によりスピーカからの音が乱れるという問題がある。
【０００８】
本発明の目的は、上述の問題点を解消し、保護カバーを設けても発音時には保護カバーが除去され、音の回折が発生せず、音が乱れることのないスピーカ装置を提供することにある。
【課題を解決するための手段】
【０００９】
上記目的を達成するための本発明に係るスピーカ装置は、サブエンクロージャの内部にスピーカユニットを備え、前記サブエンクロージャをメインエンクロージャに対し前後進を可能とし、スピーカの不使用時には前記サブエンクロージャを前記メインエンクロージャの内部に後進させ、保護カバーにより前記スピーカユニットの前面部を覆うようにしたことを特徴とする。
【発明の効果】
【００１０】
本発明に係るスピーカ装置によれば、スピーカの使用時には保護カバーは、メインエンクロージャの外側、又はメインエンクロージャの内側に収納される。発音時のスピーカはメインエンクロージャの表面から突出し、スピーカから発せられた音はメインエンクロージャによる音の反射や、音の回折が起こらず、スピーカからの音を殆ど乱れることなく発生できる。
【００１１】
スピーカの不使用時には、保護カバーによりスピーカコーンを不慮の事故による破損から保護でき、またスピーカユニットを埃等から防護できる。
【図面の簡単な説明】
【００１２】
【図１】実施例１のスピーカ装置のスピーカ使用時の断面図である。
【図２】スピーカ使用時の斜視図である。
【図３】スピーカ非使用時の初期状態の断面図である。
【図４】保護カバーの回転移動を始めた状態の断面図である。
【図５】保護カバーを閉じた状態の断面図である。
【図６】スピーカ収納時の状態の斜視図である。
【図７】実施例２のスピーカ使用時の通常の状態の正面図である。
【図８】スピーカ装置のスピーカ使用時の側面から見た断面図である。
【図９】スピーカ使用時の通常の状態の上面から見た断面図である。
【図１０】スピーカの不使用時の状態の側面から見た断面図である。
【図１１】スピーカの不使用時の状態の上面から見た断面図である。
【図１２】スピーカの不使用時の状態でシャッタが閉じた状態の正面図である。
【図１３】スピーカの不使用時の状態でシャッタが閉じた状態の側面から見た断面図である。
【図１４】スピーカの不使用時の状態でシャッタが閉じた状態の上面から見た断面図である。
【発明を実施するための形態】
【００１３】
本発明を図示の実施例に基づいて詳細に説明する。
【実施例１】
【００１４】
図１は実施例１のスピーカ装置のスピーカ使用時の断面図、図２は斜視図である。球形のメインエンクロージャ１内のほぼ中央にウーファと呼ばれる低音用スピーカユニット２が配置され、また低音用スピーカユニット２の前方に音の放射方向が同軸に配置され、メインエンクロージャ１よりも前部に中高音用スピーカユニット３が突出されている。
【００１５】
中高音用スピーカユニット３は背部を半球形としたサブエンクロージャ４の前部に固定され、サブエンクロージャ４の後方には低音用スピーカユニット２の振動板から成るスピーカコーン２ａが隙間をおいて設けられている。
【００１６】
また、サブエンクロージャ４はその後方の上下部にそれぞれ移動板５が平行に設けられ、サブエンクロージャ４はメインエンクロージャ１に対し前後方向に移動可能とされている。移動板５の表面に設けられたラックギヤ６が、メインエンクロージャ１に固定された駆動用モータ７により駆動される駆動ギア８と嵌合されている。駆動ギア８の回転により、ラックギヤ６を介して移動板５は前後進し、駆動ギア８とラックギヤ６の嵌合はローラ９により付勢されている。
【００１７】
スピーカコーン２ａとサブエンクロージャ４の背面板４ａとの間は空間部とされ、低音用スピーカユニット２からの発音はこの空間部を介してサブエンクロージャ４に円弧状に設けられた低音用開口部１１から外部に放出されるようになっている。
【００１８】
メインエンクロージャ１の周囲には、中高音用スピーカユニット３の前面を保護するシャッタである保護カバー１２が設けられ、保護カバー１２は所定幅の円弧状とされている。メインエンクロージャ１には保護カバー１２を回転駆動させるための駆動用モータ１３、ローラ１４が設けられている。スピーカ装置の使用中には、保護カバー１２はメインエンクロージャ１の後方外側に位置し、中高音用スピーカユニット３の前方には音を遮断する遮蔽物はない。また、メインエンクロージャ１には保護カバー１２を所定位置で検出する検出スイッチ１５が設けられている。
【００１９】
スピーカ装置の不使用時には、保護カバー１２は低音用スピーカユニット２の前方に回転移動する。これにより、低音用スピーカユニット２から発音された低音を出力するための低音用開口部１１を閉塞し、更に中高音用スピーカユニット３のスピーカコーン３ａを保護すると共に、低音用スピーカユニット２の低音用スピーカコーン２ａを保護する。
【００２０】
図３はスピーカ装置の非使用時の状態を示し、保護カバー１２を中高音用スピーカユニット３の前面に移動させる前の初期状態を示している。サブエンクロージャ４が駆動用モータ７により駆動ギア８、ラックギヤ６を介してメインエンクロージャ１の内部に移動した状態にある。
【００２１】
図４は保護カバー１２をメインエンクロージャ１の外表面に沿って、中高音用スピーカユニット３の前面に移動させ始めた状態を示している。駆動用モータ１３の回転によりローラ１４が反時計方向に回転し、保護カバー１２は矢印で示す反時計方向に移動する途中にある。
【００２２】
図５は保護カバー１２の移動が終了し、中高音用スピーカユニット３の前面を完全に閉止した状態の断面図、図６はその斜視図を示している。このとき、保護カバー１２により検出スイッチ１５が押され、保護カバー１２が閉止したことを検出して駆動用モータ１３の回転を停止する。
【００２３】
この状態では、低音用開口部１１と中高音用スピーカユニット３の前面を保護カバー１２により覆い、埃、外部からの不慮の事故等からスピーカコーン２ａ、３ａを保護することができる。
【００２４】
なお実施例１では、駆動用モータにより、サブエンクロージャ４、保護カバー１２の動作を行っているが、駆動源には他にもワイヤ、リニアモータ、リンク等を使用することもできる。このようなサブエンクロージャ４は自動で移動させているが、手動で行うようにすることもできる。
【実施例２】
【００２５】
図７は実施例２のスピーカ装置のスピーカ使用時の正面図、図８は側方から見た断面図、図９は上方から見た断面図である。箱状のメインエンクロージャ２１内にサブエンクロージャ２２が内蔵され、サブエンクロージャ２２はメインエンクロージャ２１に対し上下のローラ２３を介して前後進自在とされている。サブエンクロージャ２２の前面上部には中高音用スピーカユニット２４が設けられ、その下部に低音用スピーカユニット２５が配置されている。
【００２６】
メインエンクロージャ２１の両側面にはガイド溝２６が内設され、それぞれのガイド溝２６内には例えば蛇腹から成る可撓性を有する保護カバー２７が収納されている。メインエンクロージャ２１の内側中央には駆動用モータ２８が設けられ、駆動用モータ２８には減速ギヤユニット２９を介してスクリュねじ３０が突出されている。また、サブエンクロージャ２２の後部にはスクリュねじ受け３１が設けられ、スクリュねじ受け３１にはスクリュねじ３０が螺合されている。
【００２７】
それぞれの保護カバー２７の駆動には、両側のメインエンクロージャ２１とサブエンクロージャ２２の間のメインエンクロージャ２１側には、保護カバー２７に密接して駆動用ローラ３２が配置されている。駆動用ローラ３２は駆動用モータ３３により回転されるようになっている。
【００２８】
使用状態においては、中高音用スピーカユニット２４、低音用スピーカユニット２５の前面には保護カバー２７も覆いなどもない。また、このときサブエンクロージャ２２により中高音用スピーカユニット２４、低音用スピーカユニット２５がメインエンクロージャ２１から突出しているため、音の回折が生ぜず音を忠実に再現できる。
【００２９】
図１０は保護カバー２７を閉止する途中の状態の側方から見た断面図、図１１は上方から見た断面図を示している。駆動用モータ２８が回転し、回転駆動が減速ギヤユニット２９に伝達され、スクリュねじ３０が回転をする。このスクリュねじ３０の回転により、スクリュねじ受け３１を介してサブエンクロージャ２２は、ローラ２３により円滑に後方に移動しメインエンクロージャ２１内に収容される。
【００３０】
図１２は不使用時にスピーカ装置の前面を保護カバー２７が閉止した状態の正面図、図１３は側方から見た断面図、図１４は上方から見た断面図であり、保護カバー２７は完全に低音用スピーカユニット２５と中高音用スピーカユニット２４の前面に覆っている。
【００３１】
図１０、図１１に示すようにサブエンクロージャ２２が後方に移動することにより、スピーカ装置の前面に保護カバー２７を閉める空間が形成されている。駆動用モータ３３を回転させることにより、駆動用ローラ３２が回転し、左右に配置された保護カバー２７がガイド溝２６により誘導されて前進する。これにより、保護カバー２７が両側から中高音用スピーカユニット２４と低音用スピーカユニット２５の前面部に移動して閉止がなされる。
【００３２】
スピーカ装置を使用する場合には、逆の動きにより保護カバー２７が開いてガイド溝２６内に収納され、中高音用スピーカユニット２４と低音用スピーカユニット２５が現われ、良好に音を発生することができる。
【符号の説明】
【００３３】
１、２１  メインエンクロージャ
２、２５  低音用スピーカユニット
３、２４  中高音用スピーカユニット
５、２２  サブエンクロージャ
１１  低音用孔部
１２、２７  保護カバー
【図１】
2011176725.tif 000003
【図２】
2011176725.tif 000004
【図３】
2011176725.tif 000005
【図４】
2011176725.tif 000006
【図５】
2011176725.tif 000007
【図６】
2011176725.tif 000008
【図７】
2011176725.tif 000009
【図８】
2011176725.tif 000010
【図９】
2011176725.tif 000011
【図１０】
2011176725.tif 000012
【図１１】
2011176725.tif 000013
【図１２】
2011176725.tif 000014
【図１３】
2011176725.tif 000015
【図１４】
2011176725.tif 000016